(57)【要約】【課題】カメラ付き玄関子機をネットワークに接続可能にしシステム構成を容易且つ柔軟にする。【解決手段】カメラ付き玄関子機１００を、家庭内のテレビ３０２、電話装置３０３等の汎用機器を相互接続してデータの送受信を行なうホームネットワーク３０１に接続し、カメラ付き玄関子機１００は、ホームネットワーク３０１を介して汎用機器３０２、３０３と接続する制御部１０２を備えている。また、ホームネットワーク３０１は、ホームネットワーク３０１に直接接続できない居室親機３０５が変換インターフェース用機器３０４を介して接続されている。【選択図】図１
2004289657.tif 000002
【特許請求の範囲】
【請求項１】
１台または複数台のカメラ付き玄関子機（１００）を、家庭内の複数の電化製品及び住宅設備を相互接続してデータの送受信を行なうホームネットワーク（３０１）に接続し、
前記カメラ付き玄関子機は、前記ホームネットワークを介してテレビ、電話装置等の汎用機器（３０２、３０３）と接続する制御部（１０２）を備えたことを特徴とするテレビドアホンシステム。
【請求項２】
前記ホームネットワークは、前記ホームネットワークに直接接続できない汎用機器（３０５）に変換インターフェースブロック（３０４）を介して接続することを特徴とする請求項１記載のテレビドアホンシステム。
【請求項３】
前記カメラ付き玄関子機と前記汎用機器間で前記ホームネットワークを介して行なう通信をＩＥＥＥ８０２．１１ａ、ＩＥＥＥ８０２．１１ｂ等の無線通信機能ブロック（１１５、３１１）により行なうことを特徴とする請求項１又は請求項２記載のテレビドアホンシステム。
【請求項４】
前記カメラ付き玄関子機と前記汎用機器間で前記ホームネットワークを介して行なう通信をＨ．３２３、ＳＩＰ等の通信プロトコルブロック（２０３）で実行すると共に、画像及び音声の伝送をＭＰＥＧ等の圧縮音声・画像処理機能ブロック（２０５、２０７）により行なうことを特徴とする請求項１又は請求項２記載のテレビドアホンシステム。
【請求項５】
前記カメラ付き玄関子機は、前記汎用機器への呼出検出・通知処理制御等の制御機能ブロック（２０１）を有し、前記制御機能ブロックを用いて前記汎用機器と通信を開始する通信プロトコルブロック（２０３）を備えたことを特徴とする請求項１又は請求項２記載のテレビドアホンシステム。
【請求項６】
前記汎用機器から前記ホームネットワークを介して伝送されてくる制御を受付け、ホームネットワークプロトコル処理するプロトコル処理機能ブロック（２０２）を備えたことを特徴とする請求項１又は請求項２記載のテレビドアホンシステム。
【発明の詳細な説明】
【０００１】
【発明の属する技術分野】
本発明は、テレビドアホンシステムに係り、特にホームネットワークと接続し、そのネットワーク上の機器と連動することで親機と子機という基本的なシステム構成を廃し、高機能な子機と必要最低限の通話装置、表示装置やセンサなどで構成された簡潔なシステムを実現するテレビドアホンシステムに関する。
【０００２】
【従来の技術】
従来から、このようなテレビドアホンシステムは図３に示すように、居室親機１０１とカメラ付き玄関子機１０２という基本構成で実現されている（例えば、特許文献１参照）。
【０００３】
このようなテレビドアホンシステムは、カメラ付き玄関子機１０２からの呼び出しを居室親機１０１で検出し、また、カメラ付き玄関子機１０２で撮像された来訪者等の画像表示や録画といった画像の処理を居室親機１０１およびカメラ付き玄関子機１０２間のみで行っている。また、電気錠やセンサの制御についても同様に、居室親機１０１およびカメラ付き玄関子機１０２間のみで行っている。
【０００４】
【特許文献１】特開２００２−３１４６９５号公報（第３−４頁、第１図）
【０００５】
【発明が解決しようとする課題】
しかしながら、このような従来のテレビドアホンシステムでは、専用の親機に接続可能な限定された子機で構成されることが多く、会話をする、映像を映し出すという機能で一般家庭に広く普及している電話機やテレビモニタなどの汎用機器（専用ではなく、積極的に他のリソースを取り込んで処理できる機器）との重複した使用が避けられなかった。そのため、テレビドアホンシステムは、例えば家庭内に通常あると考えられるテレビやビデオなどの映像機器や、電話装置などの会話を供する機器とは独立に設けられることになり、画像を見るといった同じ動作を別々の機器で行うことを利用者に強いていた。したがって、親機と子機という基本構成に縛られ、積極的にこれら外部の機器を利用しようというテレビドアホンシステムは存在しなかった。
【０００６】
本発明は、このような従来の難点を解決するためになされたもので、玄関子機を高機能化しホームネットワークと接続することで親機以外の汎用機器を利用可能とし、システム構成を柔軟にできるテレビドアホンシステムを提供することを目的とする。
【０００７】
【課題を解決するための手段】
上記目的を達成する本発明のテレビドアホンシステムは、１台または複数台のカメラ付き玄関子機を、家庭内の複数の電化製品及び住宅設備を相互接続してデータの送受信を行なうホームネットワークに接続し、カメラ付き玄関子機は、ホームネットワークを介してテレビ、電話装置等の汎用機器と接続する制御部を備えたものである。また、このホームネットワークは、ホームネットワークに直接接続できない汎用機器に変換インターフェースブロックを介して接続するものである。
【０００８】
このようなテレビドアホンシステムによれば、カメラ付き玄関子機に備えられた制御部により、当該カメラ付き玄関子機と、ホームネットワークに直接接続させることができる家庭内の複数の電化製品（例えばテレビ、電話装置等の汎用機器）及び住宅設備との間でデータの送受信を行なうことができるようになる。また、ホームネットワークに直接接続できない汎用機器の場合には、変換インターフェースブロックを介してカメラ付き玄関子機に接続することができるので、当該カメラ付き玄関子機と、この汎用機器間でデータの送受信を行なうことができるようになる。
【０００９】
また、本発明のテレビドアホンシステムにおいては、カメラ付き玄関子機と汎用機器間でホームネットワークを介して行なう通信をＩＥＥＥ８０２．１１ａ、ＩＥＥＥ８０２．１１ｂ等の無線通信機能ブロックにより行なうものである。これにより、カメラ付き玄関子機とホームネットワークとを有線接続することなくデータ伝送を実現できる。
【００１０】
また、本発明のテレビドアホンシステムにおいては、カメラ付き玄関子機と汎用機器間でホームネットワークを介して行なう通信をＨ．３２３、ＳＩＰ等の通信プロトコルブロックで実行すると共に、画像及び音声の伝送をＭＰＥＧ等の圧縮音声・画像処理機能ブロックにより行なうものである。これにより、カメラ付き玄関子機と汎用機器間で音声、映像などのマルチメディア情報を低ビットレートで双方向で配信することができるようになる。
【００１１】
また、本発明のテレビドアホンシステムにおいては、カメラ付き玄関子機は、汎用機器への呼出検出・通知処理制御等の制御機能ブロックを有し、制御機能ブロックを用いて汎用機器と通信を開始する通信プロトコルブロックを備えたものである。これにより、玄関子機から呼び出しがあったことを、ホームネットワークを介して汎用機器で確認できるようになる。
【００１２】
また、本発明のテレビドアホンシステムにおいては、汎用機器からホームネットワークを介して伝送されてくる制御を受付け、ホームネットワークプロトコル処理するプロトコル処理機能ブロックを備えたものである。これにより、他のプロトコルとの変換なども行えるようになるので、例えば必要に応じて種々の汎用機器へ通話を開始したり、汎用機器からの要求で通話を開始したりすることもできるようになる。
【００１３】
【発明の実態の形態】
以下、本発明のテレビドアホンシステムにおける好ましい実施の形態例について図面を参照して説明する。
【００１４】
本発明のテレビドアホンシステムは図１に示すように、玄関などの戸外に設置され来訪者をカメラ１０４で撮像するカメラ付き玄関子機１００と、カメラ付き玄関子機１００と通話を行うと共にカメラ１０４で撮像した来訪者の画像を表示する居室親機３０５とを備え、これら機器はホームネットワーク３０１を介して接続されている。
【００１５】
カメラ付き玄関子機１００は、来訪者を撮像するためのカメラ１０４と共に、来訪者が居住者を呼出すための呼出ボタン１０１と、居住者と通話するための子機マイク１０６、子機スピーカ１０９とを備えている。
【００１６】
具体的には、カメラ１０４はカメラＡ／Ｄ変換回路１０５を介して制御部１０２に接続され、呼出ボタン１０１は直接制御部１０２に接続され、マイク１０６はマイクＡ／Ｄ変換回路１０７、スピーカ１０９はＤ／Ａ変換回路１０８をそれぞれ介して制御部１０２に接続されている。また、カメラ１０４は制御部１０２に接続されているカメラパンチルト機構１１０によって撮像方向をパンチルトすることができる。また、制御部１０２には、当該制御部１０２による各処理プログラムや設定情報の蓄積領域や作業領域として使用するＦＲＯＭ（ｆｌａｓｈ  ＲＯＭ）１１３、ＳＤＲＡＭ（ｓｙｎｃｈｒｏｎｏｕｓ  ｄｙｎａｍｉｃ  ＲＡＭ）１１４が接続されている。さらに、カメラ付き玄関子機１００を家庭内に構築されているホームネットワーク３０１に接続するために、制御部１０２にはホームネットワークインターフェース（以下、「インターフェース」を「ＩＦ」とする。）１０３が接続されている。なお、制御部１０２には、電気錠１１１や警報用のセンサ１１２も接続されている。
【００１７】
また、ホームネットワーク３０１には各々がＩＰアドレスを割り振られ直接接続できる汎用機器、例えばテレビ３０２や電話装置３０３が接続されており、また、居室親機３０５のようにホームネットワーク３０１に直接接続できない汎用機器の場合には、変換ＩＦブロックであるホームゲートウェイなどのＩＰアドレスが割り振られる変換ＩＦ用機器３０４を介してホームネットワーク３０１に接続する。
【００１８】
このような制御部１０２は図２に示すように、テレビ３０２、電話装置３０３、居室親機３０５等の汎用機器からホームネットワーク３０１、ホームネットワークＩＦ１０３を介して伝送されてくる制御を受け付けホームネットワークプロトコル処理するプロトコル処理機能ブロックであるホームネットワークプロトコル処理回路２０２と、このホームネットワークプロトコル処理回路２０２に接続されカメラ付き玄関子機１００とテレビ３０２、電話装置３０３、居室親機３０５間でホームネットワーク３０１を介して行う双方向通信をＨ．３２３、ＳＩＰ（Ｓｅｓｓｉｏｎ  Ｉｎｉｔｉａｔｉｏｎ  Ｐｒｏｔｏｃｏｌ）等の音声、動画等のマルチメディア情報の通信プロトコルで行う通信プロトコルブロックである通信プロトコル処理回路２０３とを備えている。
【００１９】
また、制御部１０２はカメラＡ／Ｄ変換回路１０５を介してカメラ１０４に接続される撮像処理回路２０４と、撮像処理回路２０４でサンプリングレートや解像度などが設定処理された画像データを低ビットレートにするＭＰＥＧ（Ｍｏｖｉｎｇ  Ｐｉｃｔｕｒｅ  Ｅｘｐｅｒｔｓ  Ｇｒｏｕｐ）等による画像圧縮を行うための圧縮画像処理機能ブロックである画像データ圧縮処理回路２０５と、画像データ圧縮処理回路２０５で圧縮処理された画像データを転送するための画像データ転送処理回路２０６と、マイクＡ／Ｄ変換回路１０７を介してマイク１０６、Ｄ／Ａ変換回路１０８を介してスピーカ１０９がそれぞれ接続され音声データを低ビットレートにするＭＰＥＧ等による音声圧縮や音声伸張する圧縮処理機能ブロックである音声データ圧縮・伸張処理回路２０７と、音声データを転送するための音声データ転送処理回路２０８と、呼出ボタン１０１に接続されホームネットワーク３０１を介してカメラ付き玄関子機１００に接続される汎用機器への呼出検出、通知処理制御等の機能を有する制御機能ブロックである呼出検出・通知処理回路２０１と、ＦＲＯＭ１１３に接続され画像データ、音声データ、設定情報や処理プログラム等をＦＲＯＭ１１３に蓄積・保存する設定情報管理処理回路２１２とを備えている。また、制御部１０２は、電気錠１１１を制御する電気錠制御処理回路２１０と、センサ１１２を制御するセンサ制御処理回路２１１と、カメラパンチルト機構１１０を制御するカメラパンチルト制御処理回路２０９とを備えている。
【００２０】
このような制御部１０２の各処理回路の接続は、撮像処理回路２０４が画像データ圧縮処理回路２０５に接続され、画像データ圧縮処理回路２０５が画像データ転送処理回路２０６を介して通信プロトコル処理回路２０３に接続されている。音声データ圧縮・伸張処理回路２０７は音声データ転送処理回路２０８を介して通信プロトコル処理回路２０３に接続されている。この音声データ圧縮・伸張処理回路２０７と画像データ圧縮処理回路２０５とは設定情報管理処理回路２１２に接続され、さらに設定情報管理処理回路２１２は通信プロトコル処理回路２０３とホームネットワークプロトコル処理回路２０２に接続されている。呼出検出・通知処理回路２０１は通信プロトコル処理回路２０３に接続されている。また、電気錠制御処理回路２１０、センサ制御処理回路２１１、カメラパンチルト制御処理回路２０９はそれぞれホームネットワークプロトコル処理回路２０２に接続されている。
【００２１】
このように構成されたテレビドアホンシステムの動作について説明する。
【００２２】
まず、来訪者からカメラ付き玄関子機１００の呼出ボタン１０１で呼び出しがあると、制御部１０２の呼出検出・通知処理回路２０１がその呼び出しを検出し、音声再生・画像表示要求信号と共に呼出通知信号（以下、「呼出データ信号」とする。）を通信プロトコル処理回路２０３に送出する。通信プロトコル処理回路２０３はこの呼出データ信号を所定の通信プロトコルでホームネットワークプロトコル処理回路２０２に送出し、ホームネットワークプロトコル処理回路２０２は予め呼出ボタン１０１が呼出操作されると居室親機３０５に接続するように設定されているので、この所定の通信プロトコルで送出された呼出データ信号に居室親機３０５用の宛先ＩＰアドレス等を付加してホームネットワークＩＦ１０３に送出する。
【００２３】
ホームネットワークＩＦ１０３から居室親機３０５の宛先ＩＰアドレス等が付加された呼出データ信号がホームネットワーク３０１に伝送されると、その通知を変換ＩＦ用機器３０４を介して居室親機３０５が受信する。居室親機３０５はその通知を受信すると、呼出発報と共に音声再生や画像表示などの機能を起動してカメラ付き玄関子機１００と通信状態へと移行する。
【００２４】
なお、カメラ１０４で撮像された画像はカメラＡ／Ｄ変換回路１０５でデジタルデータ化され、この画像データを撮像処理回路２０４でサンプリングレートや解像度などを設定処理し、画像データ圧縮処理回路２０５でデータサイズを調整して圧縮画像データとして画像データ転送処理回路２０６から通信プロトコル処理回路２０３へと送出される。また、マイク１０６で集音された音声はマイクＡ／Ｄ変換回路１０７でデジタルデータ化され、この音声データを音声データ圧縮・伸張処理回路２０７でデータサイズを調整して圧縮音声データとして音声データ転送処理回路２０８から通信プロトコル処理回路２０３へと送出される。
【００２５】
通信プロトコル処理回路２０３は、この圧縮画像データや圧縮音声データ（以下、「マルチメディア情報信号」とする。）を所定の通信プロトコルでホームネットワークプロトコル処理回路２０２に送出し、ホームネットワークプロトコル処理回路２０２はこの所定の通信プロトコルで送出されたマルチメディア情報信号に居室親機３０５用の宛先ＩＰアドレス等を付加してホームネットワークＩＦ１０３に送出する。
【００２６】
ホームネットワークＩＦ１０３から居室親機３０５の宛先ＩＰアドレス等が付加されたマルチメディア情報信号がホームネットワーク３０１に伝送されると、その通知を変換ＩＦ用機器３０４を介して居室親機３０５が受信する。居室親機３０５はその通知を受信すると通信状態に移行しているので、カメラ１０４で撮像された画像を表示しマイク１０６で集音した音声を再生することができる。
【００２７】
また、居室親機３０５から音声データをカメラ付き玄関子機１００へと送信すると、その音声データ信号が変換ＩＦ用機器３０４でカメラ付き玄関子機１００用の宛先ＩＰアドレス等が付加されてホームネットワーク３０１に伝送される。このカメラ付き玄関子機１００用の宛先ＩＰアドレス等が付加された音声データ信号がホームネットワーク３０１に伝送されると、その通知をカメラ付き玄関子機１００のホームネットワークＩＦ１０３が受信する。カメラ付き玄関子機１００はその通知を受信すると通信状態に移行しているので、ホームネットワークプロトコル処理回路２０２がその音声データ信号がカメラ付き玄関子機１００への通知であることを認識する。そして、その音声データ信号は通信プロトコル処理回路２０３を介して音声データ転送処理回路２０８に送出されるので、この音声データ転送処理回路２０８の制御により音声データ圧縮・伸張処理回路２０７で元の大きさのデータに伸張されＤ／Ａ変換回路１０８に送出される。この音声データ信号はＤ／Ａ変換回路１０８でアナログデータ化されスピーカ１０９から発報される。
【００２８】
また、居室親機３０５でカメラ付き玄関子機１００のカメラ１０４のパンチルト要求を行うと、そのパンチルト要求データ信号が変換ＩＦ用機器３０４でカメラ付き玄関子機１００用の宛先ＩＰアドレス等が付加されてホームネットワーク３０１に伝送される。このカメラ付き玄関子機１００用の宛先ＩＰアドレス等が付加されたパンチルト要求データ信号がホームネットワーク３０１に伝送されると、その通知をカメラ付き玄関子機１００のホームネットワークＩＦ１０３が受信する。カメラ付き玄関子機１００はその通知を受信すると通信状態に移行しているので、ホームネットワークプロトコル処理回路２０２がそのパンチルト要求データ信号がカメラ付き玄関子機１００への通知であることを認識する。ホームネットワークプロトコル処理回路２０２はそのパンチルト要求データ信号をカメラパンチルト制御処理回路２０９に送出するので、カメラパンチルト制御処理回路２０９はそのパンチルト要求データ信号に基づきカメラパンチルト機構１１０をパンチルト操作してカメラ１０４の撮像範囲を変更する。
【００２９】
また、居室親機３０５で電気錠１１１の解錠や施錠の要求を行うと、その解錠（施錠）要求データ信号が変換ＩＦ用機器３０４でカメラ付き玄関子機１００用の宛先ＩＰアドレス等が付加されてホームネットワーク３０１に伝送される。このカメラ付き玄関子機１００用の宛先ＩＰアドレス等が付加された解錠（施錠）要求データ信号がホームネットワーク３０１に伝送されると、カメラ１０４のパンチルト要求と同様にその解錠（施錠）要求データ信号がホームネットワークＩＦ１０３を介してホームネットワークプロトコル処理回路２０２へと送出される。ホームネットワークプロトコル処理回路２０２はその解錠（施錠）要求データ信号を電気錠制御処理回路２１０に送出するので、電気錠制御処理回路２１０はその解錠（施錠）要求データ信号に基づき電気錠１１１を解錠（施錠）する。
【００３０】
また、居室親機３０５でセンサ１１２の駆動（停止）制御の要求を行うと、その駆動（停止）制御要求データ信号が変換ＩＦ用機器３０４でカメラ付き玄関子機１００用の宛先ＩＰアドレス等が付加されてホームネットワーク３０１に伝送される。このカメラ付き玄関子機１００用の宛先ＩＰアドレス等が付加された駆動（停止）制御要求データ信号がホームネットワーク３０１に伝送されると、カメラ１０４のパンチルト要求と同様にその駆動（停止）制御要求データ信号がホームネットワークＩＦ１０３を介してホームネットワークプロトコル処理回路２０２へと送出される。ホームネットワークプロトコル処理回路２０２はその駆動（停止）制御要求データ信号をセンサ制御処理回路２１１に送出するので、センサ制御処理回路２１１はその駆動制御要求データ信号に基づきセンサ１１２を駆動（停止）する。
【００３１】
なお、このセンサ１１２により来訪者等が検知されると、センサ制御処理回路２１１がセンサ検知信号をホームネットワークプロトコル処理回路２０２に送出し、ホームネットワークプロトコル処理回路２０２はこのセンサ検出信号に居室親機３０５用の宛先ＩＰアドレス等を付加してホームネットワークＩＦ１０３に送出する。
【００３２】
ホームネットワークＩＦ１０３から居室親機３０５の宛先ＩＰアドレス等が付加されたセンサ検出信号がホームネットワーク３０１に伝送されると、その通知を変換ＩＦ用機器３０４を介して居室親機３０５が受信する。居室親機３０５はその通知を受信すると通信状態に移行しているので、センサ１１２が来訪者があることを検知したことを確認できる。
【００３３】
このようなカメラ付き玄関子機１００の制御部１０２の設定情報管理処理回路２１２による各種設定情報を変更する場合には、ホームネットワーク３０１に接続された専用のコントローラやパソコンなどの設定情報変更用機器３０６で行うことができ、この設定情報変更用機器３０６にインストールされているアプリケーション、例えば設定アプリケーションやＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、ＳＮＴＰ（Ｓｉｍｐｌｅ  Ｎｅｔｗｏｒｋ  Ｔｉｍｅ  Ｐｒｏｔｏｃｏｌ）、電子メール等により実行される。
【００３４】
例えばパソコン３０６でカメラ付き玄関子機１００からの画像や音声を録画、録音するような設定変更を操作すると、当該パソコン３０６の設定変更機能によりホームネットワーク３０１→ホームネットワークＩＦ１０３→ホームネットワークプロトコル処理回路２０２→通信プロトコル処理回路２０３を介して設定情報管理処理回路２１２で、画像データ圧縮処理回路２０５でデータサイズが調整された圧縮画像データや音声データ圧縮・伸張処理回路２０７でデータサイズが調整された圧縮音声データをＦＲＯＭ１１３の記憶領域に蓄積、保存することができるようになる。
【００３５】
このようにＦＲＯＭ１１３に保存された圧縮画像データや圧縮音声データは、居室親機３０５から再生要求されると設定情報管理処理回路２１２の制御によりＦＲＯＭ１１３から取り出され、圧縮画像データは画像データ圧縮処理回路２０５、画像データ転送処理回路２０６を介して通信プロトコル処理回路２０３に送出され、また、圧縮音声データは音声データ圧縮・伸張処理回路２０７、音声データ転送処理回路２０８を介して通信プロトコル処理回路２０３に送出される。以後、上述したようにこのマルチメディア情報信号は、ホームネットワークプロトコル処理回路２０２→ホームネットワークＩＦ１０３→ホームネットワーク３０１→変換ＩＦ用機器３０４を介して居室親機３０５に伝送されるので、居室親機３０５はカメラ１０４で撮像された画像やマイク１０６で集音した音声を再生することができる。
【００３６】
なお、録画、録音された画像や音声をテレビ３０２や電話装置３０３で再生する場合には、例えばパソコン３０６でカメラ付き玄関子機１００からの録画画像や録音音声をテレビ３０２や電話装置３０３で再生できるように設定変更を操作すると、当該パソコン３０６の設定変更機能によりホームネットワーク３０１→ホームネットワークＩＦ１０３→ホームネットワークプロトコル処理回路２０２→通信プロトコル処理回路２０３を介して設定情報管理処理回路２１２で、ホームネットワークプロトコル処理回路２０２による宛先ＩＰアドレスの割り当てがテレビ３０２や電話装置３０３に変更される。これにより、テレビ３０２や電話装置３０３はカメラ１０４で撮像された画像やマイク１０６で集音した音声を再生することができる。
【００３７】
なお、上述した本発明の実施の一形態においては、カメラ付き玄関子機１００と汎用機器３０２、３０３、３０５が有線接続されていたが、これに限らず、カメラ付き玄関子機１００と汎用機器３０２、３０３、３０５間でホームネットワーク３０１を介して行う通信を無線ＬＡＮに関する規格ＩＥＥＥ８０２．１１ａ、ＩＥＥＥ８０２．１１ｂ等の無線通信プロトコルで行ってもよい。この場合、カメラ付き玄関子機１００の制御部１０２のホームネットワークＩＦ１０３に無線通信機能ブロックである無線通信回路１１５を接続させ、ホームネットワーク３０１に無線通信機能ブロックである無線通信機器３１１を接続させる。これにより、カメラ付き玄関子機１００とホームネットワーク３０１とを無線にてデータ伝送を実現できる。
【００３８】
また、ホームネットワーク３０１を利用してカメラ付き玄関子機１００と汎用機器３０２、３０３、３０５間でデータ伝送を行っているので、ホームネットワーク３０１への接続機器には特に制限がなく、例えば公衆回線を利用してデータ転送を行うこともでき遠隔地でも利用することができるようになる。これにより、ホームネットワーク３０１への接続手段によっては遠隔地でも、カメラ１０４で撮像された画像を表示したりマイク１０６で集音した音声を発報したりでき、また、これらを再生することもできる。
【００３９】
【発明の効果】
以上、説明したように、本発明のテレビドアホンシステムによれば、カメラ付き玄関子機をネットワークに接続可能にしたことによりネットワーク対応型の居室親機、テレビ、ビデオ、電話装置などの汎用機器を利用してカメラ付き玄関子機とデータ通信することができるようになったので、システム構成が容易且つ柔軟になる。
【図面の簡単な説明】
【図１】本発明のテレビドアホンシステムにおける好ましい実施の一形態例を示すブロック図。
【図２】本発明のテレビドアホンシステムの構成要件である制御回路の詳細を示すブロック図。
【図３】従来のテレビドアホンシステムを示すブロック図。
【符号の説明】
１００・・・・・カメラ付き玄関子機
１０２・・・・・制御部
１１５・・・・・無線通信回路（無線通信機能ブロック）
２０１・・・・・呼出検出・通知処理回路（制御機能ブロック）
２０２・・・・・ホームネットワークプロトコル処理回路（プロトコル処理機能ブロック）
２０３・・・・・通信プロトコル処理回路（通信プロトコルブロック）
２０５・・・・・画像データ圧縮処理回路（圧縮音声・画像処理機能ブロック）
２０７・・・・・音声データ圧縮・伸張処理回路（圧縮音声・画像処理機能ブロック）
３０１・・・・・ホームネットワーク
３０２・・・・・テレビ（汎用機器）
３０３・・・・・電話装置（汎用機器）
３０４・・・・・変換インターフェース用機器（変換インターフェースブロック）
３０５・・・・・居室親機（汎用機器）
３１１・・・・・無線通信機能ブロック
【図１】
2004289657.tif 000003
【図２】
2004289657.tif 000004
【図３】
2004289657.tif 000005